【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
第１の種別の物品から取得された情報に基づくゲームを実行するゲーム装置であって、
前記第１の種別の物品と、前記第１の種別とは異なる第２の種別の物品であって、少なくともユーザの識別情報を含む第２の種別の物品と、から情報を取得する取得手段と、
前記取得手段により情報取得がなされた前記第１の種別の物品について、前記識別情報との紐付けを管理する第１の管理手段と、
前記第１の種別の物品のゲーム使用可否を制御する制御手段と、を備え、
前記制御手段は、前記第１の種別の物品と前記識別情報との紐付け態様に応じて、該第１の種別の物品のゲーム使用可否を制御するゲーム装置。
【請求項２】
前記制御手段は、前記ゲームに係り前記第２の種別の物品から取得された前記識別情報との前記紐付け態様が適正であることを条件として、前記第１の種別の物品のゲーム使用を可能する請求項１に記載のゲーム装置。
【請求項３】
前記取得手段により情報取得がなされた複数の前記第２の種別の物品について、同一ユーザに対応する物品であることを示すよう、前記識別情報を用いて該複数の第２の種別の物品の関連付けを管理する第２の管理手段をさらに備える請求項１に記載のゲーム装置。
【請求項４】
前記制御手段は、同一ユーザについての複数の前記第２の種別の物品の関連付け態様に応じて、前記第１の種別の物品のゲーム使用可否を制御する請求項３に記載のゲーム装置。
【請求項５】
前記制御手段は、前記関連付け態様に応じて定められた前記第１の種別の物品の使用に係る条件に基づいて、前記第１の種別の物品のゲーム使用を許可する請求項４に記載のゲーム装置。
【請求項６】
前記制御手段は、前記識別情報につき関連付けられている前記第２の種別の物品の数、及び前記識別情報に関連付けられた前記第２の種別の物品の各々に対応するゲーム要素の組み合わせ、の少なくともいずれかに応じて、前記第１の種別の物品のゲーム使用可否を制御する請求項４または５に記載のゲーム装置。
【請求項７】
前記識別情報と紐付けることが可能な前記第１の種別の物品の数は、該識別情報につき関連付けられている前記第２の種別の物品の数、及び該関連付けられている前記第２の種別の物品を使用して行われたゲームのプレイ回数の少なくともいずれかに応じて変更される請求項４乃至６のいずれか１項に記載のゲーム装置。
【請求項８】
前記識別情報と紐付けされた前記第１の種別の物品の各々について、ゲーム使用により変化する状態を示す状態情報を、該識別情報に関連付けて管理する第３の管理手段をさらに備え、
前記制御手段はさらに、ゲーム使用する前記第１の種別の物品に係る前記状態情報が所定の状態を示す場合に、該第１の種別の物品のゲーム使用を制限する請求項１乃至７のいずれか１項に記載のゲーム装置。
【請求項９】
前記第１の種別の物品に係る前記状態情報は、該第１の種別の物品がゲーム使用された回数の情報を含み、
前記所定の状態は、前記第１の種別の物品がゲーム使用された回数が、設定された上限回数に至った状態であることを含む請求項８に記載のゲーム装置。
【請求項１０】
前記第１の種別の物品に係る前記状態情報は、該第１の種別の物品をゲーム使用することが可能な使用期間の情報を含み
前記所定の状態は、前記第１の種別の物品が前記使用期間を超過した状態であることを含む請求項８または９に記載のゲーム装置。
【請求項１１】
ゲーム使用する前記第１の種別の物品に基づいて、新たな前記第１の種別の物品を出力する出力手段をさらに備え、
前記第１の種別の物品に係る前記状態情報は、該第１の種別の物品に基づいて出力された前記新たな第１の種別の物品の数の情報を含み、
前記所定の状態は、前記第１の種別の物品に基づいて出力された前記新たな第１の種別の物品の数が上限数に至った状態であることを含む請求項８乃至１０のいずれか１項に記載のゲーム装置。
【請求項１２】
ゲーム使用する前記第１の種別の物品に係る前記状態情報が前記所定の状態を示す場合に、該第１の種別の物品に基づく、ゲームの進行をより有利にせしめる新たな前記第１の種別の物品を出力する出力手段をさらに備える請求項８乃至１１のいずれか１項に記載のゲーム装置。
【請求項１３】
前記第１の種別の物品には、第１の種別のゲーム要素のいずれかが関連付けられており、
前記新たな第１の種別の物品に関連付けられる前記第１の種別のゲーム要素は、前記ゲーム使用する第１の種別の物品に関連付けられた前記第１の種別のゲーム要素と同一である請求項１２に記載のゲーム装置。
【請求項１４】
前記状態情報は、前記第１の種別の物品に付される請求項８乃至１３のいずれか１項に記載のゲーム装置。
【請求項１５】
外部機器との間で情報通信を行う通信手段をさらに備え、
前記識別情報との関連付けまたは紐付けは、該当の情報が前記通信手段により要求と共に前記外部機器に送信され、該外部機器において記録されることで行われ、
前記識別情報との関連付けまたは紐付けがなされた情報は、該識別情報と関連付けられた前記第２の種別の物品からの情報取得がなされた場合に、前記外部機器から取得される請求項８乃至１３のいずれか１項に記載のゲーム装置。
【請求項１６】
前記識別情報の関連付けまたは前記識別情報との紐付けは、前記通信手段が前記外部機器と通信可能な状態であることを要件として行われる請求項１５に記載のゲーム装置。
【請求項１７】
前記制御手段は、前記第１の種別の物品のゲーム使用を制限すると判断した場合に、新たな前記第２の種別の物品との紐付けがなされたことに応じて、当該制限を解除する請求項１乃至１６のいずれか１項に記載のゲーム装置。
【請求項１８】
第１の種別のゲーム用物品と、第１の種別の物品から取得された情報に基づくゲームを実行するゲーム装置と、を含んで構成されるゲームシステムであって、
前記ゲーム装置は、
前記第１の種別のゲーム用物品と、前記第１の種別とは異なる第２の種別のゲーム用物品であって、少なくともユーザの識別情報を含む第２の種別のゲーム用物品と、から情報を取得する取得手段と、
前記取得手段により情報取得がなされた前記第１の種別のゲーム用物品について、前記識別情報との紐付けを管理する第１の管理手段と、
前記第１の種別のゲーム用物品のゲーム使用可否を制御する制御手段と、
を備え、
前記制御手段は、前記第１の種別のゲーム用物品と前記識別情報との紐付け態様に応じて、該第１の種別のゲーム用物品のゲーム使用可否を制御するゲームシステム。
【請求項１９】
コンピュータを、請求項１乃至１７のいずれか１項に記載のゲーム装置の各手段として機能させるためのプログラム。
【手続補正２】
【補正対象書類名】明細書
【補正対象項目名】発明の名称
【補正方法】変更
【補正の内容】
【発明の名称】ゲーム装置、ゲームシステム及びプログラム
【手続補正３】
【補正対象書類名】明細書
【補正対象項目名】０００１
【補正方法】変更
【補正の内容】
【０００１】
本発明は、ゲーム装置、ゲームシステム及びプログラムに関し、特に物品から取得した情報に基づくゲームを実行するゲーム装置に関する。
【手続補正４】
【補正対象書類名】明細書
【補正対象項目名】０００６
【補正方法】変更
【補正の内容】
【０００６】
本発明は、ユーザ利益を担保しつつ、興趣性の高いゲーム体験の提供を実現するゲーム装置、ゲームシステム及びプログラムを提供することを目的とする。
【手続補正５】
【補正対象書類名】明細書
【補正対象項目名】０００７
【補正方法】変更
【補正の内容】
【０００７】
本発明のゲーム装置は、第１の種別の物品から取得された情報に基づくゲームを実行するゲーム装置であって、第１の種別の物品と、第１の種別とは異なる第２の種別の物品であって、少なくともユーザの識別情報を含む第２の種別の物品と、から情報を取得する取得手段と、取得手段により情報取得がなされた第１の種別の物品について、識別情報との紐付けを管理する第１の管理手段と、第１の種別の物品のゲーム使用可否を制御する制御手段と、を備え、制御手段は、第１の種別の物品と識別情報との紐付け態様に応じて、該第１の種別の物品のゲーム使用可否を制御する。